(57)【要約】【課題】灯具類の配線の点検作業を、より安全な姿勢で容易に実施しうる構造を備えた塵芥収集車の塵芥投入箱を提供する。【解決手段】塵芥収容箱２の後部に接続される塵芥投入箱３には、その後面の略中間部から後端部にかけて塵芥投入口が設けられる。塵芥投入口よりも上方部分を覆う位置にルーフカバー７が設けられて、このルーフカバー７にブレーキランプ１１、作業中表示灯１２その他の灯具類が取り付けられ、それら灯具類の配線がルーフカバー７の下面側に配設される。ルーフカバー７は、その前縁部がヒンジ２１を介して塵芥投入箱３の頂部近傍に取り付けられ、ルーフカバー７の後縁側が上下方向に回動自在に保持される。【選択図】図４
2008285316.tif 000002
【特許請求の範囲】
【請求項１】
塵芥収集車の車枠上に搭載された塵芥収容箱の後部に接続され、後面に塵芥投入口が設けられてなる塵芥投入箱において、
前記塵芥投入口よりも上方部分を覆う位置にルーフカバーが設けられて、このルーフカバーにブレーキランプその他の灯具類が取り付けられ、それら灯具類の配線がルーフカバーの下面側に配設されるとともに、
前記ルーフカバーの前縁部が、塵芥投入箱の頂部近傍に連結部材を介して取り付けられ、ルーフカバーの後縁側が上下方向に回動自在に保持されたことを特徴とする塵芥収集車の塵芥投入箱。
【請求項２】
連結部材近傍に、ルーフカバーの後縁側を上向きに押し上げる付勢手段が設けられたことを特徴とする請求項１に記載の塵芥収集車の塵芥投入箱。
【請求項３】
ルーフカバーの後縁部近傍に、後方監視装置が取り付けられたことを特徴とする請求項１または２に記載の塵芥収集車の塵芥投入箱。
【請求項４】
ルーフカバーの後縁部近傍に、作業中表示灯が取り付けられたことを特徴とする請求項１、２または３に記載の塵芥収集車の塵芥投入箱。
【請求項５】
ルーフカバーの前縁部に近接する位置に止水部材が貼着されたことを特徴とする請求項１〜４のいずれかに記載の塵芥収集車の塵芥投入箱。
【請求項６】
ルーフカバーの後縁部を開放した状態で支承するストッパーロッドが、不使用時には収納可能に設けられたことを特徴とする請求項１〜５のいずれかに記載の塵芥収集車の塵芥投入箱。
【発明の詳細な説明】
【技術分野】
【０００１】
本発明は、塵芥収集車の塵芥投入箱に関し、特に塵芥投入箱の上部にブレーキランプや作業表示灯などの灯具類を取り付けるためのルーフカバーを備えた塵芥収集車の塵芥投入箱に関する。
【背景技術】
【０００２】
塵芥収集車の車枠上には、収集した塵芥を収容するための塵芥収容箱が搭載されている。塵芥は、塵芥収容箱の後部に接続された塵芥投入箱を通じて塵芥収容箱に収容される。塵芥投入箱の後面には、塵芥を投入するための塵芥投入口が設けられている。塵芥投入口には、走行中に塵芥投入箱内の塵芥や汚水が飛散するのを防ぐための開閉扉が設けられている。開閉扉の機構については、例えば特許文献１〜３等に開示されている。
【０００３】
塵芥投入口に塵芥を投入する作業を行う際には、通行人や後方からの車両等に対し、塵芥収集車が停車して作業中であることを報せて注意を喚起する必要がある。そのため、塵芥投入箱の後面にはブレーキランプやハザードランプ、作業表示灯などが備えられる。また、塵芥収集車の運転席から塵芥投入口付近の作業状況を確認しうるように、塵芥投入箱の後面にバックアイカメラ等のオプション部品が取り付けられる場合もある。これらの灯具類やオプション部品は、開閉扉の開閉状態によって視認性に影響を受けることのない位置に設けられるのが望ましい。また、開閉扉を開閉する際の振動等によって灯具類や配線に不具合が生じないように配慮する必要もある。
【０００４】
そこで、特許文献３には、塵芥投入口の左右側壁に設けたガイドレールに沿って開閉扉を摺動させ、開口時には開閉扉を塵芥投入箱の内側上部に収容するとともに、塵芥投入口の上方には、ガイドレール支持板の上面に被せるようにして固定面を設け、この固定面に灯具類やバックアイカメラ等のオプション部品を取り付ける構成が提案されている。該文献記載の構成では、固定面の裏側に灯具類の配線が取り付けられる。そして、その配線の点検のために、固定面の中間部から前部にかけて開口部が形成され、その開口部に薄板状のカバー部材が取り付けられる。カバー部材は、その前縁部に設けられた蝶番を介して、後縁側を上下方向に開閉しうるように保持される。
【特許文献１】実開平６−５３５１１号公報
【特許文献２】実開平６−８３１３号公報
【特許文献３】特開２００５−３１４０６１号公報
【発明の開示】
【発明が解決しようとする課題】
【０００５】
上記特許文献３に記載の構成によれば、カバー部材を開いて固定面の開口部を開放することにより、その開口部から灯具類の配線を点検することができる。しかし、実際にその点検作業を行うには、点検作業者が塵芥投入箱の上部にまで登って、上方から開口部の内側を覗き込まなければならない。このような作業は、決して容易とは言えず、また安全性の面でも改善の余地がある。
【０００６】
本発明は上記のような事情に鑑みてなされたもので、灯具類の配線の点検作業を、より安全な姿勢で容易に実施しうる構造を備えた塵芥投入箱を提供することを解決課題とする。
【課題を解決するための手段】
【０００７】
上記課題を解決するため、本発明の塵芥収集車の塵芥投入箱は、塵芥収集車の車枠上に搭載された塵芥収容箱の後部に接続され、後面に塵芥投入口が設けられてなる塵芥投入箱において、前記塵芥投入口よりも上方部分を覆う位置にルーフカバーが設けられて、このルーフカバーにブレーキランプその他の灯具類が取り付けられ、それら灯具類の配線がルーフカバーの下面側に配設されるとともに、前記ルーフカバーの前縁部が、塵芥投入箱の頂部近傍に連結部材を介して取り付けられ、ルーフカバーの後縁側が上下方向に回動自在に保持されたことを特徴とする。
【０００８】
前記発明においては、さらに、連結部材近傍に、ルーフカバーの後縁側を上向きに押し上げる付勢手段が設けられるのが望ましい。
【０００９】
また、ルーフカバーの後縁部近傍には、後方監視装置、作業中表示灯などが取り付けられていてもよい。
【００１０】
さらに、ルーフカバーの前縁部に近接する位置には止水部材が貼着されるのが望ましい。
【００１１】
また、ルーフカバーの後縁部を開放した状態で支承するストッパーロッドが、不使用時には収納可能に設けられるのが望ましい。
【発明の効果】
【００１２】
上述のように構成される本発明の塵芥収集車の塵芥投入箱は、ルーフカバーの前縁部が連結部材を介して塵芥投入箱の頂部近傍に取り付けられているので、ルーフカバーの後縁側を上方に押し上げると、ルーフカバーの下面側が下向きに開放される。したがって、点検作業者が塵芥投入箱の上部にまで登らずとも、ルーフカバーの下側に配設された灯具類の配線を下から見上げる姿勢で容易に点検することができる。これにより、作業時の安全性も向上する。
【発明を実施するための最良の形態】
【００１３】
以下、本発明の実施の形態について、図を参照しつつ説明する。
【００１４】
図１〜図３は、本発明の実施形態に係る塵芥投入箱を装備した塵芥収集車の全体構成を示す。塵芥収集車１の車枠上には、塵芥収容箱２が搭載されている。塵芥収容箱２は、車枠上に取り付けられた図示しないダンプシリンダ等を介して、後方に傾倒しうるように保持される。塵芥収容箱２の後部には、塵芥投入箱３が接続されている。塵芥投入箱３は、枢軸４を介して塵芥収容箱２の後端頂部に連結され、上下方向に回動しうるように保持される。
【００１５】
塵芥投入箱３の後面には、その略中間部から後端部にかけて塵芥投入口が設けられている。塵芥投入口には開閉扉５が取り付けられる。開閉扉５は、塵芥投入口の左右側壁に設けられた左右一対のガイドレール６（図４、５参照）に沿って上下方向に摺動し、開口時には塵芥投入箱３の上部に収容される。塵芥投入口から投入された塵芥は、塵芥投入箱３の内側に設けられた図示しない積込装置によって塵芥収容箱２の奥へ押し込まれる。
【００１６】
本発明の要部は、塵芥投入箱３の上半部を覆うように取り付けられたルーフカバー７にある。図４、図５は、ルーフカバー７の概略構造を示す。ルーフカバー７は、樹脂成形品からなるカバー部材８の下面周縁部に、金属製のプレート９とパイプ１０とを組み合わせて形成した補強フレームを裏打ちして形成されている。カバー部材８は、補強フレームにビス止めされて一体化している。ルーフカバー７の下面は、塵芥投入箱３の上半部に沿った湾曲形状をなしている。カバー部材８には、左右の増設ブレーキランプ１１及び増設ハザードランプ１２が一体に組み込まれている。さらに、カバー部材８の後縁部近傍には、後方監視装置としてのバックアイカメラ１３及び作業中表示灯１５が取り付けられている。それらの灯具類やバックアイカメラ１３等の配線（図示せず）は、ルーフカバー７の下面側に配設され、補強フレームの適所に取り付けられた複数個の配線ホルダ１４等によって結束されている。
【００１７】
ルーフカバー７の前縁部は、図６に拡大して示すように、連結部材としての蝶番型のヒンジ２１を介して、塵芥投入箱３の頂部に架設された上部フレーム２２に取り付けられている。これにより、ルーフカバー７の後縁側が上下方向に回動する。ヒンジ２１は、車幅方向に適宜の間隔を設けて複数個配置され、ボルト・ナット２３を介して上部フレーム２２に取り付けられている。さらに、上部フレーム２２の上面には、ゴム材からなる止水部材２４が、ルーフカバー７の前縁部に沿って貼着されている。この止水部材２４は、雨天走行中に雨水がルーフカバー７の下側に入り込んで、塵芥投入箱３内に設けられた油圧装置その他の機器類やスイッチ類、配線の接続部等が濡れるのを防ぐ部材であり、雨水を両側方に排出する作用をなす。
【００１８】
ルーフカバー７は、付勢部材によって、後縁側を上向きに押し上げる方向に付勢されている。例示形態においては、付勢部材としてトーションバー２６が用いられている。トーションバー２６は、その基端側が塵芥投入箱３の上部フレーム２２に沿って拘束されている。図７は、トーションバー２６を拘束する部分の詳細を示す。Ｌ字状に屈曲されたトーションバー２６の基端は、押え金具２７によって拘束される。押え金具２７はボルト・ナット２８を介して、上部フレーム２２に添設されたステー２９に固定されている。
【００１９】
一方、トーションバー２６の自由端側は、図４、図５に示すように、補強フレームに沿ってルーフカバー７の後端側へと延び、パイプ１０に取り付けられた係合部材３０に下方から係合して、パイプ１０を押し上げる方向に付勢している。
【００２０】
ルーフカバー７は、通常時においては塵芥投入箱３に被せられ、ルーフカバー７の後縁付近に取り付けられたノブ付きボルト３２を、塵芥投入箱３の中段フレーム３３に設けられたナット部材３４に螺合させることにより、閉じた状態で固定される。ノブ付きボルト３２を緩めてナット部材３４から離脱させると、トーションバー２６の付勢力によってルーフカバー７が上方に開き、下側から配線等を点検することが可能になる。点検時は、ルーフカバー７が不用意に閉じることを防ぐために、ストッパーロッド３６を立て起こしてルーフカバー７の後縁部を支承する。
【００２１】
図８は、ストッパーロッド３６の取付構造を示す詳細図である。中段フレーム３３の中央部付近に、ワッシャやピン等を組み合わせた軸着部材３７が取り付けられており、この軸着部材３７にストッパーロッド３６の基端部が回動自在に軸支される。また、中段フレーム３３の側方寄りにはロッドホルダ３８が取り付けられている。ルーフカバー７を閉じているときには、ストッパーロッド３６を横倒しにして、その先端側をロッドホルダ３８に嵌挿することにより、ストッパーロッド３６が中段フレーム３３に沿って収納される。
【００２２】
このように、塵芥投入箱３の上方部分を覆う位置に、灯具類を一体化したルーフカバー７を取り付け、ルーフカバー７の後縁側を開閉可能とすることにより、ルーフカバー７の下面側に配設された灯具類の配線を容易に点検することができる。点検に際しては、塵芥投入箱３の上部にまで登る必要がなくなるので、作業時の安全性も向上する。また、ルーフカバー７に灯具類が一体的に組み込まれることから、外観の意匠も向上する。
【００２３】
なお、本発明の実施形態については、発明の主旨を逸脱しない範囲で適宜改変可能である。各部品類の細部形状や補強構造等についても、例示した実施形態に限定されるものではない。
【図面の簡単な説明】
【００２４】
【図１】本発明の実施形態に係る塵芥投入箱を装備した塵芥収集車の側面図である。
【図２】図１に示す塵芥収集車の後面図である。
【図３】図１に示す塵芥収集車の後部上面図である。
【図４】ルーフカバーの構造を示す部分断面図である。
【図５】カバー部材を除外した状態でルーフカバーの内部構造を示した部分上面図である。
【図６】図５中のＡ−Ａ断面を拡大して、ルーフカバーの前縁部近傍の構造を示した図である。
【図７】（ａ）は、図５中のＢ−Ｂ断面を拡大してトーションバーの基端側の拘束状態を示した図であり、（ｂ）は、当該部分を車両後方側から見た図である。
【図８】（ａ）は、図５中のＣ−Ｃ断面を拡大してストッパーロッドの基端部を示した図であり、（ｂ）は、当該部分を車両前方側から見た図である。（ｃ）は、図５中のＤ−Ｄ断面を拡大してロッドホルダを示した図である。
【符号の説明】
【００２５】
１  塵芥収集車
２  塵芥収容箱
３  塵芥投入箱
５  開閉扉
７  ルーフカバー
１１  ブレーキランプ
１２  ハザードランプ
１３  バックアイカメラ（後方監視装置）
１５  作業中表示灯
２１  ヒンジ（連結部材）
２４  止水部材
２６  トーションバー（付勢手段）
３６  ストッパーロッド
【図１】
2008285316.tif 000003
【図２】
2008285316.tif 000004
【図３】
2008285316.tif 000005
【図４】
2008285316.tif 000006
【図５】
2008285316.tif 000007
【図６】
2008285316.tif 000008
【図７】
2008285316.tif 000009
【図８】
2008285316.tif 000010